(57)【特許請求の範囲】
【請求項１】
マスク上の照明領域に対して該マスクを走査するマスクステージと、前記マスク上のパターンの像を感光基板上に投影する投影光学系と、前記照明領域と前記投影光学系に関して共役な露光領域に対して前記感光基板を走査する基板ステージとを備えた走査型露光装置において、
前記基板ステージ上に設置された感光体と、
前記照明領域に対して前記マスクステージ上のマークパターンを走査するのに同期して前記感光体を前記露光領域に対して走査することによって形成された前記感光体上の前記マークパターンの像を検出する検出手段と、
前記検出手段からの検出結果に基づいて前記マークパターンの像の結像状態を求める結像状態演算手段とを備えたことを特徴とする走査型露光装置。
【請求項２】
前記結像状態演算手段の演算結果に応じて結像状態を補正するための補正手段を更に備えたことを特徴とする請求項１に記載の走査型露光装置。
【請求項３】
前記補正手段は、前記マスクステージと前記基板ステージとの走査速度または走査方向を制御するステージコントローラであることを特徴とする請求項２に記載の走査型露光装置。
【請求項４】
マスク上の照明領域に対して該マスクを走査するマスクステージと、前記マスク上のパターンの像を感光基板上に投影する投影光学系と、前記照明領域と前記投影光学系に関して共役な露光領域に対して前記感光基板を走査する基板ステージとを備えた走査型露光装置において、
前記基板ステージ上に設置された感光体と、
前記照明領域に対して前記マスクステージ上のマークパターンを走査するのに同期して前記感光体を前記露光領域に対して走査することによって形成された前記感光体上の前記マークパターンの像を検出する検出手段と、
前記感光基板上に形成された位置合わせマークを照明し、該位置合わせマークからの光を光電検出する位置合わせマーク検出手段とを備え、
前記検出されたマークパターンの像の位置と前記位置合わせマーク検出手段の検出位置とから位置合わせマーク検出手段のベースラインを定めることを特徴とする走査型露光装置。
【請求項５】
前記感光体上に形成されたマークパターンの像を検出する検出手段が、前記感光基板上に形成された位置合わせマークを照明し、該位置合わせマークからの光を光電検出する位置合わせマーク検出手段であることを特徴とする請求項１〜４のいずれか一項に記載の走査型露光装置。
【請求項６】
前記マークパターンと前記感光体との同期走査が行われている期間中、前記感光体が均一に感光されるように照明光強度及び前記感光体の感度の一方を調整する調整手段を更に備えたことを特徴とする請求項１〜５のいずれか一項に記載の走査型露光装置。
【請求項７】
前記感光体が、感光された像を消去可能な感光体であることを特徴とする請求項１〜６のいずれか一項に記載の走査型露光装置。
【請求項８】
前記感光体が、フォトクロミック素子及び光磁気記録素子の一方であることを特徴とする請求項７に記載の走査型露光装置。
【請求項９】
前記感光体が、前記感光基板であることを特徴とする請求項１〜６のいずれか一項に記載の走査型露光装置。
【請求項１０】
前記マークパターンは、前記マスクステージ上に載置される前記マスク又はテスト用マスクに形成されていることを特徴とする請求項１〜９のいずれか一項に記載の走査型露光装置。
【請求項１１】
前記マークパターンは、前記マスクステージ上に設置された結像特性測定用パターンであることを特徴とする請求項１〜９のいずれか一項に記載の走査型露光装置。
【請求項１２】
請求項１〜１１のいずれか一項に記載の走査型露光装置を用いてマイクロデバイスを製造する方法。
【請求項１３】
マスクを照明しながら、該マスク上の照明領域に対してマスクステージを介して前記マスクを走査するとともに、前記照明領域と投影光学系に関して共役な露光領域に対して基板ステージを介して感光基板を前記マスクの走査に同期して走査することにより前記マスクのパターンを投影光学系を介して感光基板上に露光する走査型露光方法において、
前記露光に先立って、前記基板ステージ上に設置された感光体と前記マスクステージ上のマークパターンとを同期して走査し、
前記走査の間に形成された前記感光体上の前記マークパターンの像を検出し、
前記検出されたマークパターンの像から前記投影光学系の結像状態を演算することを特徴とする走査型露光方法。
【請求項１４】
前記演算された結像状態を補正することを更に含むことを特徴とする請求項１３に記載の走査型露光方法。
【請求項１５】
マスクを照明しながら、該マスク上の照明領域に対してマスクステージを介して前記マスクを走査するとともに、前記照明領域と投影光学系に関して共役な露光領域に対して基板ステージを介して感光基板を前記マスクの走査に同期して走査することにより前記マスクのパターンを投影光学系を介して感光基板上に露光する走査型露光方法において、
前記露光に先立って、前記基板ステージ上に設置された感光体と前記マスクステージ上のマークパターンとを同期して走査し、
前記走査の間に形成された前記感光体上の前記マークパターンの像を検出し、
前記検出されたマークパターンの像の位置と前記感光基板上に形成された位置合わせマークを検出する手段の検出位置とから該位置合わせマーク検出手段のベースラインを定めることを特徴とする走査型露光方法。
【請求項１６】
前記感光体が、フォトクロミック素子、光磁気記録素子及び感光基板から選ばれた一種であることを特徴とする請求項１３〜１５のいずれか一項に記載の走査型露光方法。
【発明の詳細な説明】
【０００１】
【発明の属する技術分野】
本発明は、回路パターンが形成されたマスクを照明しながらマスク上の照明領域に対してマスクと感光性の基板とを同期して走査することによってその回路パターンを逐次感光性基板上に露光する走査型露光装置に関し、さらに詳細には、実際の露光の前に、マスクと基板との走査により形成されるマスクのパターン像の結像状態を正確に測定できる走査型露光装置及び露光方法に関する。
【０００２】
【従来の技術】
従来より半導体集積回路や液晶基板の回路パターンをフォトリソグラフィー技術により半導体ウエハ上に形成するための装置として投影露光装置が使用されている。かかる投影露光装置は、照明系により均一にされた照明光をレチクル（マスク）に照射してレチクルパターン像を投影光学系を介して感光性基板上に結像する。この種の装置は、微細な回路パターンを形成するために、高精度な結像特性が要求され、さらに、基板上の同一領域に複数のパターンを重ね合わせて露光するために、露光処理する層と前回露光処理された層との間で高い重ね合わせ精度が要求される。このため、露光を実行する前に、投影光学系による結像特性を予め評価しておき、適正な結像特性が得られるように投影光学系のレンズエレメントを光軸方向に相対移動したり、レチクルと投影光学系の主点との間隔を変更する等の補正が行われてきた。投影光学系による結像特性を予め評価する方法として、実際の露光に先立ち、複数のマークが描かれたテストレチクルのパターンを用いてウエハ上のフォトレジストを露光し、現像されたテストパターン像からのマーク座標とレチクル上のマーク座標とを比較する方法が従来より行われていた。しかしながら、かかる評価法は、予備的な露光及び現像工程を必要とするために時間と労力を要し、像を測定するための特別な装置も必要となるという欠点があった。
【０００３】
本出願人は、特開昭５９−９４０３２号において、感光基板が載置されるステージ上に光電センサを設けて、センサ出力から投影光学系を介して形成されるレチクルのテストパターンの位置情報を直接観察する方法を開示した。この方法によれば、装置の初期調整だけではなく、装置の経時変化や大気圧、温度等の外部環境の変化、結像光学系による照明光の吸収特性の変化、あるいはレチクルの照明条件（立体角等）等の装置条件の変化等で発生する結像特性の変化を簡単に観察することができ、観察結果に基づいて結像特性を補正することもできる。近年の投影露光装置には、この方法を実行するために投影光学系の結像特性を測定する機構が装備されている。図５に、かかる投影光学系の結像特性測定機構及び観測結果の一例を示す。図５（ａ）は、投影光学系ＰＬを介してレチクルＲ上のマークパターン（テストパターン）を感光基板であるウエハＷ上に露光する投影露光装置の概略構造を示す。同図に示したように、ウエハＷは、ウエハステージＷＳＴのウエハホルダ５上に載置され、ウエハステージＷＳＴ面上には、ウエハホルダ５と異なるＸ方向位置であって且つウエハＷの表面と同じ高さとなるように基準板２０１が配置されている。投影光学系ＰＬの結像特性を測定するときには、ウエハステージＷＳＴを、投影光学系ＰＬの真下に基準板２０１が位置するように移動し、レチクルＲを照明光ＩＬで照明してそのマークパターン像を基準板２０１上に結像させる。基準板２０１には照明光ＩＬが透過するスリット２０２が一つあるいは複数形成されている。基準板２０１の下方にはスリット２０２を透過した光を受光する光電センサ２０３が設置されている。ウエハステージＷＳＴを水平方向（Ｘ方向）に移動することによって、レチクルＲ上のマークパターン２０４の像を光電センサ２０３で受光することができる。図５（ｂ）に、光電センサ２０３の出力、すなわち、スリット２０２を透過したマークパターン２０４の像を示す。この出力波形より投影光学系ＰＬの種々の結像特性を求めることができる。例えば、信号波形を適当なスライスレベルでスライスして得られた線幅ａを基準線幅（設計値）と比較することにより像のコントラストを求めることができる。像のコントラストはピークｂの大きさから所定の演算により求めてもよい。また、基準板２０１を投影光学系ＰＬの光軸ＡＸ方向に移動しつつコントラストを求め、最良のコントラストが得られる位置より焦点位置や像面湾曲等を求めることもできる。さらに、マークパターン２０４の方向を変えて測定すれば非点収差を求めることもできる。また、光電センサ２０３によりマークパターン２０４を測定しながらウエハステージＷＳＴの座標を記録することにより、マークパターンの中心位置ｃをウエハステージ座標系で求め、これより、ディストーション等の像の歪みを求めることもできる。
【０００４】
図５（ａ）に示した投影露光装置には、投影光学系ＰＬに隣接して、ウエハＷ上に形成された重ね合わせ露光用の位置合わせマーク（アライメントマーク）を読み取る位置合わせセンサ（アライメントセンサ）２０５が設けられている。センサ２０５は、位置合わせマークを照明し、位置合わせマークからの反射光や回折光を受光することによってマーク位置を検出する。この際、センサとして撮像素子を用いてマーク像を２次元的な像として取り込むことも可能である。同じウエハＷ上に異なるレチクルパターンを重ね合わせて露光する際に、投影光学系ＰＬあるいはレチクルＲの像とアライメントセンサ２０５の検出位置との位置関係が変動するとウエハＷ上で露光位置の重ね合わせ誤差が生じる。両者の位置関係あるいは距離ｄはベースラインと呼ばれており、重ね合わせ露光が行われる際の投影光学系ＰＬあるいはレチクルＲの像とアライメントセンサ２０５との基準間隔となる。この間隔（ベースライン）は装置の温度変化により変動し易いため、定期的に測定して常に設定した値を維持する必要がある。このため、重合わせ露光に先立って、レチクルＲのマークパターン像の位置を光電センサ２０３で測定した後、ウエハステージＷＳＴを移動し、センサ２０５でスリット２０２を直接測定するか、もしくは基準板２０１上の位置合わせマーク位置を測定することによって、両者の位置関係（ベースライン）を予め計測することが行われている。
【０００５】
特開平１−７７１２５号は、投影光学系ＰＬの結像特性を予め測定する機構を備えた他の投影露光装置として、図６に示したような装置を開示している。図６では、図５に示した投影露光装置の基準板２０１及び光電センサ２０３に代えて感光体３０１が使用されている。感光体３０１として一旦形成された像を消去可能な感光体３が使用可能であり、例えば、フォトクロミックデバイス、光磁気記録素子等が用いられている。最初に、レチクルＲ上のマークパターン２０４を感光体３０１上に露光し、その後ウエハステージＷＳＴをＸ方向に移動して、センサ２０５で感光体３０１上のパターン２０４の像を測定する。露光時と測定時のウエハステージＷＳＴの位置の差よりベースラインを求めることができる。感光体３０１として光磁気記録素子を用いる場合は波長板等を用いて反射光から偏光を検出することによってマークパターン位置を求めることができる。また、図５（ｂ）で説明した結像特性測定法と同様にして、感光体３０１上に形成されたマークパターン像をセンサ２０５により観測することにより投影光学系ＰＬの結像特性を求めることができる。
【０００６】
【発明が解決しようとする課題】
上記のような結像特性の測定法は、いわゆる、ステップアンドリピート方式に代表される一括露光方式（フル・フィールド方式）において用いられてきた。ところが、近年、レチクルのパターン領域の一部をスリット状あるいは円弧状に照明し、その照明領域に対してレチクルを走査するとともに、投影光学系に関してその照明領域と共役関係にある露光領域に対して感光基板をレチクルの走査と同期して走査することにより、レチクルのパターンを逐次感光基板上に露光する方式である、所謂スリットスキャン露光方式の露光装置（以下、走査型露光装置という）が開発されている。このスリットスキャン露光方式では、レチクル上の照明領域が一括露光方式に比べて小さく、投影光学系のイメージフィールドの一部分しか露光に使用しないために投影像の歪み、照度の均一性の調整が容易であるという利点がある。また、半導体基板等の大面積化にともない露光面積の拡大が要求されているが、この方式では投影光学系自体を拡大したり投影光学系のイメージフィールドを拡大することなく、走査方向の露光面積を大きくできるという利点もある。
【０００７】
しかしながら、このスリットスキャン露光方式では一括露光方式と異なり、一つの像を形成する間に照明領域上をレチクルが移動するため、一つの像でも結像光学系の異なる部分を通過してきた光線によって像が形成される。すなわち、照明領域に対するレチクルの走査により、レチクルパターン上のある点が照明領域を通過する間に、投影光学系の異なる部分を通じて感光基板上に結像される。これに対して、従来の結像特性の測定法では、結像光学系中の一定の光路を通じて結像させたレチクルのテストパターン像を光電変換素子で観察していた。従って、前記のように、結像光学系の連続した複数の部分を通過して像が形成されるスリットスキャン方式では、投影光学系の固定されたある領域だけからの結像特性を求めても、実際の露光における結像特性を反映していることにはならない（従来通り、投影光学系そのものの調整には静止像をみて調整することは考えられる）。具体的には、例えば、投影光学系の複数の部分を通じて形成された像のディストーションがそれぞれ異なれば、像がその分広がって露光されてコントラストが悪化する。
【０００８】
また、上記投影光学系の問題だけではなく、レチクルと感光基板の走査速度の同期ずれ、レチクルの走査中のレチクルの回転誤差や上下移動も結像特性を悪化させる。さらに、走査動作による装置の振動によるレチクルと感光基板の位置関係のずれ等も結像特性を悪化させる。特に、投影露光装置では、前述のように、基板の同一領域に複数のパターンを重ね合わせて露光するために、感光基板上に予め形成された位置合わせマークを照明し、該マークからの回折光等を受光してその位置を検出するためのアライメント系を備えている。このアライメント系のベースラインは、ウエハ上のアライメントマーク検出時にウエハステージ及びレチクルステージが静止された状態で測定されているが、走査型露光装置では、実際の露光時にはレチクルパターンはウエハステージ及びレチクルステージが共に移動することによってウエハ上に投影露光されるため、静止時に測定されたベースラインと走査時に得られるベースラインとが異なる可能性がある。これらのことは、走査型露光装置に特有の問題であり、従来の結像特性の測定のようにマスクステージを静止させたままでは測定できない。
【０００９】
本発明の目的は、実際の露光に前に、投影光学系の結像特性又はマスクのパターン像の結像状態を正確に測定できる機構を備えた走査型露光装置を提供することにある。
【００１０】
本発明の別の目的は、走査型露光方式におけるアライメント系のベースラインを正確に測定することができる機構を備えた走査型露光装置を提供することにある。
【００１１】
本発明のさらに別の目的は、実際の露光工程に先立ち、マスクと感光基板とがマスク上の照明領域に対して同期走査されることによって形成されるマークパターン像の結像状態または投影光学系の結像特性を正確に測定することができる走査型露光方法を提供することにある。
【００１２】
本発明のさらに別の目的は、アライメント系のベースラインを正確に測定することができる走査型露光方法を提供することにある。
【００１３】
本文中、用語「照明領域」とは、照明光が照射されることによって画定されるマスク（レチクル）上の領域をいい、通常、照明光学系に配置された視野絞り等によりその大きさは制限される。また、用語「露光領域」とは、照明光が投影光学系を通じて照射されることによって露光される感光基板上の領域をいい、露光領域は前記照明領域と投影光学系に関して共役関係（結像関係）にある。走査型露光装置においては、通常、上記照明領域に対して１次元方向にマスクが移動し且つそれに同期して感光基板が上記１次元方向と逆方向に上記露光領域に対して移動することによって走査が行われる。
【００１４】
【課題を解決するための手段】
本発明の第１の態様に従えば、マスク上の照明領域に対して該マスクを走査するマスクステージと、前記マスク上のパターンの像を感光基板上に投影する投影光学系と、前記照明領域と前記投影光学系に関して共役な露光領域に対して前記感光基板を走査する基板ステージとを備えた走査型露光装置において、前記基板ステージ上に設置された感光体と、前記照明領域に対して前記マスクステージ上のマークパターンを走査するのに同期して前記感光体を前記露光領域に対して走査することによって形成された前記感光体上の前記マークパターンの像を検出する検出手段と、前記検出手段からの検出結果に基づいて前記マークパターンの像の結像状態を求める結像状態演算手段とを備えたことを特徴とする走査型露光装置が提供される。本発明の走査型露光装置は、基板ステージ上に感光体を備えることにより、実際の走査露光の条件の下で、すなわち、マスク用ステージ及び基板用ステージをマスクと基板の走査のために移動するという動的な条件の下で、マスクのテスト用マークパターンの像を感光体上で予め検出することができる。感光体上には、実際の露光において１回の走査の間に感光基板が露光されるのと同様の原理でマスクパターン像が形成（感光）される。従って、この感光体上に形成されたマスクのマークパターン等を実際の露光に先立って観測することにより、実際の走査露光により形成される像の位置情報や結像状態を予測することができる。
【００１５】
上記走査型露光装置において、前記結像状態演算手段の演算結果に応じて結像状態を補正するための補正手段を更に備えることが好ましい。上記演算された結像状態が静的な条件で測定された結像状態や設計値と異なる時に、この補正手段により結像特性を実際の露光に先立って補正することが可能となる。この補正は、ステージコントローラによりマスクステージと基板ステージとの走査速度または走査方向を制御することによって実行することができる。
【００１６】
本発明の第２の態様に従えば、マスク上の照明領域に対して該マスクを走査するマスクステージと、前記マスク上のパターンの像を感光基板上に投影する投影光学系と、前記照明領域と前記投影光学系に関して共役な露光領域に対して前記感光基板を走査する基板ステージとを備えた走査型露光装置において、前記基板ステージ上に設置された感光体と、前記照明領域に対して前記マスクステージ上のマークパターンを走査するのに同期して前記感光体を前記露光領域に対して走査することによって形成された前記感光体上の前記マークパターンの像を検出する検出手段と、前記感光基板上に形成された位置合わせマークを照明し、該位置合わせマークからの光を光電検出する位置合わせマーク検出手段とを備え、前記検出されたマークパターンの像の位置と前記位置合わせマーク検出手段の検出位置とから位置合わせマーク検出手段のベースラインを定めることを特徴とする走査型露光装置が提供される。本発明の走査型露光装置は、基板ステージ上に感光体を備えることにより、実際の走査露光の条件の下で、すなわち、マスク用ステージ及び基板用ステージをマスクと基板の走査のために移動するという動的な条件の下で、位置合わせマーク検出手段のベースラインを規定することができる。従って、マスクステージ及び基板ステージが移動することによって発生する投影光学系の振動等による露光重ね合わせ誤差を低減することができる。
【００１７】
本発明の走査型露光装置において、前記感光体上に形成されたマークパターンの像を検出する検出手段が、前記感光基板上に形成された位置合わせマークを照明し、該位置合わせマークからの光を光電検出する位置合わせマーク検出手段にすることができる。感光体上に形成されたマークパターン像を検出する検出手段を別途設けることができるが、通常の投影露光装置が備える位置合わせマーク検出手段を併用することによって装置構成を簡略化することができる。
【００１８】
本発明の走査型露光装置において、前記マークパターンと前記感光体との同期走査が行われている期間中、前記感光体が均一に感光されるように照明光強度及び前記感光体の感度の一方を調整する調整手段を更に備えたことが好ましい。実際に露光される感光基板と上記感光体とでは感光度が異なるために、この調整手段により、実際の露光と同じ条件の下で感光体上にマークパターン像を形成することができる。
本発明の走査型露光装置において、前記マークパターンは、前記マスクステージ上に載置される前記マスク又はテスト用マスクに形成されていることが好ましい。
また、本発明の走査型露光装置において、前記マークパターンは、前記マスクステージ上に設置された結像特性測定用パターンであることが好ましい。
【００１９】
本発明の第３の態様に従えば、マスクを照明しながら、該マスク上の照明領域に対してマスクステージを介して前記マスクを走査するとともに、前記照明領域と投影光学系に関して共役な露光領域に対して基板ステージを介して感光基板を前記マスクの走査に同期して走査することにより前記マスクのパターンを投影光学系を介して感光基板上に露光する走査型露光方法において、前記露光に先立って、前記基板ステージ上に設置された感光体と前記マスクステージ上のマークパターンとを同期して走査し、前記走査の間に形成された前記感光体上の前記マークパターンの像を検出し、前記検出されたマークパターンの像から前記投影光学系の結像状態を演算することを特徴とする走査型露光方法が提供される。本発明の走査型露光方法では、実際の走査露光に先立って感光体をマスクと同期して走査することにより、実際の走査露光の条件の下で、すなわち、マスク用ステージ及び基板用ステージをマスクと基板の走査のために移動するという動的な条件の下で、マスクのテスト用マークパターンの像を感光体上で予め観測することができる。感光体上には、実際の露光において１回の走査の間に感光基板が露光されるのと同様の原理でマスクパターン像が形成（感光）される。従って、この感光体上に形成されたマスクのマークパターン等を予め観測することにより、実際の走査露光により形成される像の位置情報や結像状態を予測することができる。前記演算された結像状態を補正する工程を更に含むことが好ましい。
【００２０】
本発明の第４の態様に従えば、マスクを照明しながら、該マスク上の照明領域に対してマスクステージを介して前記マスクを走査するとともに、前記照明領域と投影光学系に関して共役な露光領域に対して基板ステージを介して感光基板を前記マスクの走査に同期して走査することにより前記マスクのパターンを投影光学系を介して感光基板上に露光する走査型露光方法において、前記露光に先立って、前記基板ステージ上に設置された感光体と前記マスクステージ上のマークパターンとを同期して走査し、前記走査の間に形成された前記感光体上の前記マークパターンの像を検出し、前記検出されたマークパターンの像の位置と前記感光基板上に形成された位置合わせマークを検出する手段の検出位置とから該位置合わせマーク検出手段のベースラインを定めることを特徴とする走査型露光方法が提供される。本発明の走査型露光方法では、実際の走査露光の条件の下で、すなわち、マスク用ステージ及び基板用ステージをマスクと基板の走査のために移動するという動的な条件の下で、位置合わせマーク検出手段のベースラインを規定することができる。従って、マスクステージ及び基板ステージが移動することによって発生する投影光学系の振動等による露光重ね合わせ誤差を低減することができる。
【００２１】
前記本発明の走査型露光装置及び走査型露光方法において、前記感光体は感光された像を消去可能な感光体であることが好ましく、例えば、フォトクロミック素子、光磁気記録素子等を用いることができる。あるいは、感光体として実際に露光される感光基板を用いることもできる。
【００２２】
本発明の第５の態様に従えば、本発明の走査型露光装置を用いてマイクロデバイスを製造する方法が提供される。
【００２３】
【実施例】
以下、本発明による走査型露光装置の一実施例を図面を参照しながら説明する。図１に、レチクルＲとウエハＷとをレチクルＲの照明領域に対して同期して走査しながら露光する走査型の投影露光装置の一例を示す。この投影露光装置は、光源及び照明光学系（共に図示しない）、レチクルＲを走査方向に移動するレチクルステージＲＳＴ、レチクルＲに形成されたパターン像をウエハＷ上に投影する投影光学系ＰＬ、ウエハＷをレチクルＲの走査と同期して移動するウエハステージＷＳＴ、ウエハの位置合わせ用のウエハアライメント系３０〜３５、結像特性を予め評価するための感光体３から主に構成されている。光源及び照明光学系は、一般に、図１においてレチクルステージＲＳＴの上方に配置されている。照明光源は、例えば、超高圧水銀ランプの輝線であるｉ線やｇ線、ＫｒＦ，ＡｒＦエキシマレーザ光、あるいは金属蒸気レーザ光等の紫外域の光源が用いられる。照明光学系は均一な照度を達成するためのフライアイレンズ、光路を開閉するためのシャッター、照明領域を制限するための可変ブラインド及びリレーレンズ等により構成されており、光源及び照明光学系からの照明光ＩＬによって回路パターン等が描かれたレチクルＲをほぼ照度均一且つ所定の立体角で照明する。近年では、解像力を増すために、照明光学系は輪帯照明あるいは傾斜照明等が可能な構成になっている。
【００２４】
レチクルステージＲＳＴは、投影光学系ＰＬの上方に設置されており、リニアモータ等で構成されたレチクル駆動部（図示しない）により走査方向（Ｘ方向）に所定の走査速度で移動可能である。レチクルステージＲＳＴは、そのＸ方向端部に、干渉計７からのレーザビームを反射する移動鏡６を固定して備え、レチクルステージＲＳＴの走査方向の位置は干渉計７によって例えば０．０１μｍ単位で測定される。干渉計７による測定結果は、ステージコントローラ１２に送られ、常時レチクルステージＲＳＴの高精度な位置決めが行われる。レチクルステージＲＳＴ上には、レチクルホルダ（図示しない）が設置され、レチクルＲがレチクルホルダ上に真空チャック等により吸着されて載置されている。また、レチクルステージＲＳＴの上方には、光軸ＡＸを挟んで対向するレチクルアライメント系（図示しない）が装着され、このレチクルアライメント系によりレチクルＲに形成された基準マークを観測して、レチクルＲが所定の基準位置に精度良く位置決められるようにレチクルステージＲＳＴの初期位置を決定する。従って、移動鏡６と干渉計７によりレチクルステージＲＳＴの位置を測定するだけでレチクルＲの位置を十分高精度に調整できる。レチクルステージＲＳＴの駆動部はステージコントローラ１２により制御される。
【００２５】
レチクルステージＲＳＴ上では、レチクルＲはレチクルＲの走査方向（Ｘ方向）に対して垂直な方向（Ｙ方向）を長手とする長方形（スリット状）の照明領域で照明される。この照明領域は、図示しない視野絞りにより画定され、通常、視野絞りはレチクルステージの上方であって且つレチクルＲと共役な面またはその近傍に配置される。
【００２６】
レチクルＲを通過した照明光は投影光学系ＰＬに入射し、投影光学系ＰＬによるレチクルＲの回路パターン像は、実露光時に、感光剤（フォトレジスト）が塗布されたウエハＷ上に形成される。投影光学系ＰＬには、複数のレンズエレメントが光軸ＡＸを共通の光軸とするように収容されている。投影光学系ＰＬは、その外周部上であって光軸方向の中央部にフランジ部２４を備え、フランジ部２４により露光装置本体の架台５０に固定される。ウエハＷ上に投影されるレチクルＲのパターン像の投影倍率は投影光学系ＰＬのレンズエレメントの倍率及び配置により決定され、通常、投影光学系ＰＬにより１／５または１／４に縮小される。
【００２７】
レチクルＲ上のスリット状の照明領域（中心は光軸ＡＸにほぼ一致）内のレチクルパターンは、投影光学系ＰＬを介してウエハＷ上に投影される。ウエハＷは投影光学系ＰＬを介してレチクルＲとは倒立像関係にあるため、レチクルＲが露光時に−Ｘ方向（または＋Ｘ方向）に速度Ｖｒで走査されると、ウエハＷはレチクルＲとは逆の＋Ｘ方向（または−Ｘ方向）にレチクルＲに同期して速度Ｖｗで走査され、ウエハＷ上のショット領域の全面にレチクルＲのパターンが逐次露光される。走査速度の比（Ｖｒ／Ｖｗ）は前述の投影光学系ＰＬの縮小倍率で決定される。
【００２８】
ウエハＷは、ウエハステージＷＳＴ上に保持されたウエハホルダ５に真空吸着されている。ウエハステージＷＳＴは前述の走査方向（Ｘ方向）の移動のみならず、ウエハ上の複数のショット領域をそれぞれ走査露光できるように走査方向と垂直な方向（Ｙ方向）にも移動可能に構成されており、ウエハＷ上の各ショット領域を走査する動作と、次のショット領域の露光開始位置まで移動する動作を繰り返す。ウエハステージＷＳＴは投影光学系ＰＬの光軸ＡＸ方向（Ｚ方向）にも微動が可能である。また、ウエハステージＷＳＴは、図示しないレベリングステージにより光軸ＡＸに対して傾斜することも可能である。ウエハステージＷＳＴは、モータ等のウエハステージ駆動部（図示しない）により駆動され、前記比（Ｖｒ／Ｖｗ）に従って移動速度が調節される。ウエハステージＷＳＴの端部には移動鏡８が固定され、干渉計９からのレーザビームを移動鏡８により反射し、反射光を干渉計９によって検出することによってウエハステージＷＳＴのＸＹ平面内での座標（以下、ウエハステージ座標系という）位置が常時モニタされる。移動鏡８からの反射光は干渉計９により、例えば０．０１μｍ程度の分解能で検出される。ウエハステージ駆動部はステージコントローラ１２により制御されて、レチクルステージＲＳＴと同期するようにウエハステージＷＳＴが駆動される。各ステージの走査及びそれに伴う投影光学系ＰＬの調整等はステージコントローラ１２で一括して管理される。
【００２９】
図１に示した走査型露光装置は、投影光学系ＰＬに隣接するウエハアライメント系３０〜３５を備える。ウエハアライメント系は、ウエハＷ上に前のプロセスで露光し且つ加工、例えば、エッチング、蒸着等がなされた層に対して、新たなパターンを精度よく重ねて露光するため、ウエハＷ上に形成されている位置合わせマーク（アライメントマーク）を検出するための光学式検出系である。ウエハアライメント系の光源３０として、ウエハＷ上のフォトレジスト膜に対して非感光性の波長の光を発生するレーザ、ハロゲンランプ等が用いられる。光源３０から照射された照明光は、ハーフミラー３３、ミラー３４を介して、ミラー３５によりウエハＷ上の位置合わせマークを照明する。ウエハＷの位置合わせマークからの反射光あるいは回折光は、照明光と逆の経路を通り、ハーフミラー３３を通って受光部３１において光電変換される。受光部３１からの信号は、アンプ３２で十分な出力に増幅されて、アライメント制御系としても機能するステージコントローラ１２に信号が送られる。投影光学系ＰＬの光軸ＡＸとアライメント系の光軸ＡＸ２は、出来るだけ近くに設定され、一定の間隔で隔てられている。この間隔を安定に維持することにより、重ね合わせ露光が行われる際に、レチクルＲのパターンとウエハＷのショット領域との正確な位置関係が保たれる。上記光軸ＡＸと光軸ＡＸ２とは通常アライメント系のベースラインと呼ばれるが、本発明においては、後述するようにレチクルＲ上に形成されているマークを基準にしてベースラインを規定している。ウエハアライメント系の受光部３１の代わりに、ＣＣＤ等の２次元の撮像素子を用いることもできる。
【００３０】
図１に示した投影露光装置は、さらに、投影光学系ＰＬの像面に斜め方向から光線を照射する投光器１０とその像面からの反射光を受光する受光器１１より構成されるＺ方向の位置センサ（ウエハＷのＺ方向センサ）を備える。このＺ方向の位置センサは、例えば投光器１０より、スリット像あるいはピンホール像をウエハＷに投射し、その反射光をスリットあるいはピンホールを介して受光するように構成することができ、投影光学系ＰＬの最適像面にウエハＷが位置したときに、スリットもしくはピンホールに反射光が入射するように調整される。これらのセンサを複数備えることによって、ウエハＷの面の傾きを検出した後、投影光学系ＰＬの最適像面にウエハＷ上の露光領域全域が一致するように前述のレベリングステージによりウエハステージＷＳＴを傾けて補正を行うことも可能である。投光器から照射される光は感光剤を感光させない波長の光が選ばれる。
【００３１】
ここで、図２を用いて、上記構造の走査露光装置の走査露光動作について説明する。図２（ａ）  は、レチクルＲを上方より見た概念図であり、投影光学系ＰＬのイメージフィールドを示す円内に前記の長方形の照明領域ＩＡが画定されている。この照明領域ＩＡに対してレチクルＲが走査方向（Ｘ方向）に移動することにより、レチクルＲ上のパターンが順次照明されて、一回の走査によりレチクルＲの走査方向に存在するすべてのパターンが照明される。照明時間は、各パターンが照明領域ＩＡを横切るのに要する時間、すなわちパターンの大きさと走査速度により決定される。走査速度は感光剤の感度、照明光の強度等から決定される。図２（ａ）は、レチクルＲが速度ＶｒでＸ方向に走査されている場合を示す。照明領域ＩＡ内で照射されているレチクルパターンは、ウエハＷ上の露光領域ＥＡに投影光学系ＰＬの縮小倍率で結像される。この様子をウエハＷを上方より見た図２（ｂ）に示した。前述のようにウエハＷの速度ＶｗはレチクルＲの速度Ｖｒ×投影光学系ＰＬの縮小倍率で決定され、ウエハＷ上の像はレチクルＲのパターンと鏡像関係にあるためウエハＷはレチクルＲと反対の−Ｘ方向に移動する。そして、レチクルＲの１回の走査が終わると、ウエハＷ上にレチクルＲ全面の像が領域ＳＨに形成される。この操作を繰り返すことにより、ウエハＷ上のほぼ全面にレチクルＲのパターンを複数個露光する、いわゆるステップアンドスキャン露光を行う。
【００３２】
図１に戻って、ウエハステージＷＳＴ面上には、ウエハホルダ５と異なるＸ方向位置に、結像特性測定用の感光体３がウエハＷの上面とほぼ一致する高さで設置されている。この実施例では感光体３としてフォトクロミックデバイスを使用した。感光体３は、Ｚ方向の位置センサ（１０，１１）及びウエハステージＷＳＴにより、感光体３の上面が投影光学系ＰＬの像面と一致するように位置調整される。投影光学系ＰＬの結像特性を予め測定する際には、感光体３が投影光学系ＰＬの真下に位置するようにウエハステージＷＳＴをＸ方向に移動する。これにより、照明光ＩＬで照明されたレチクルＲのパターンは投影光学系ＰＬを介して感光体３上で結像する。感光体３を用いた結像特性測定系の構成は、図６に示したような一括露光型の投影露光装置で用いられる静的な結像特性測定系と同様な構成である。このため、投影光学系ＰＬの静止像の測定は、従来通り露光領域ＥＡの任意の場所に感光体３を移動した後、ウエハステージＷＳＴ及びレチクルステージＲＳＴを静止したままで測定すればよい。感光体３の露光像は、アライメント系３０〜３５により観察され処理系４により処理される。その処理された画像データはコントローラ１２に送られて結像特性が演算される。感光体３の露光像はアライメント系３０〜３５とは別に専用の観測系を用いることができる。このように静止状態での結像特性、すなわち、レチクルＲ及びウエハＷが走査されていない状態での結像特性を、実際の露光に先立って最適に調整しておくことは走査型露光装置においても必要であり、演算で求めた結像特性に対して適当な補正手段を用いて補正しておくことが望ましい。例えば、演算で求めた倍率が目標とする倍率からずれていると、走査してできた像の非走査方向の倍率ずれを生じることになり、走査方向の像質の劣化になる。このため、例えば、レチクルＲと投影光学系ＰＬの光路長を変更したり、投影光学系ＰＬのレンズエレメントの一部を光軸ＡＸ方向に駆動したり、光軸ＡＸに対して傾斜させたりして倍率やディストーションの補正を行う公知の方法を用いることができる。また、焦点位置のずれ、像面の傾斜等はＺ方向の位置センサ（１０，１１）にオフセットを与えて補正を行う。本発明はこの静止状態の結像特性は最適化されていることを前提にして、走査露光が行われている間の投影光学系ＰＬの結像特性を測定する方法とそれを補正する方法を提供する。
【００３３】
次に、図１に示した走査型露光装置を用いて、本発明の走査露光方法の一工程である走査露光における結像特性の測定法について説明する。レチクルＲとして、複数のマークによりテストパターンが描かれた専用のテストレチクルもしくは、図３に示したような製造用のレチクルの周辺部にテスト用のマークを複数含むレチクルパターンを使用できる。あるいは、レチクルステージＲＳＴ上に設置した、専用の結像特性測定用パターンでもよい。レチクルＲの走行速度や傾斜がレチクルステージＲＳＴ上の位置により異なるときは、レチクルステージＲＳＴのほぼ全面で測定可能なテストレチクルが有利である。しかし、かかる専用のレチクルＲを用いるとレチクル交換操作が煩雑となるため、適宜、レチクルを使い分けるのが望ましい。本発明では図３に示したような、回路パターン製造用のレチクルＲであって、レチクルパターン領域４０の外側の対向する２辺にそれぞれ４つテスト用のマークＭ１〜Ｍ８を含むレチクルパターンを使用した。
【００３４】
結像特性を測定するために、最初に、感光体３が投影光学系ＰＬの真下に位置するようにウエハステージＷＳＴを移動する。次いで、照明光ＩＬでレチクルＲを照射しながら、実際の露光時と同じ走査速度でレチクルＲと感光体３を同期走査して、感光体３が露光領域ＥＡを通過する間にレチクルＲのテスト用マークの像を感光体３上に感光させる。この感光体３上に形成されたパターン像２が、実際の走査露光によってウエハＷ上に形成される像に相当する。この走査の間に、露光（感光）像の位置を測定するために、レチクルステージＲＳＴ及びウエハステージＷＳＴの位置信号を干渉計７及び９よりコントローラ１２に取り込む。焦点位置の検出等のためにＺ方向の位置を測定する場合には、Ｚ方向センサ（１０，１１）の出力も同時にコントローラ１２に取り込む。
【００３５】
上記走査の間に、感光体３上にレチクルＲのマークパターン像が形成される様子を図４を用いてさらに詳細に説明する。図４（ａ）は、レチクルＲをレチクル上の照明領域ＩＡに対して走査する際に、レチクルＲのマークＭ１が照明領域ＩＡを図中の矢印に沿ってＸ方向に移動する様子を概念的に示している。マークＭ１が照明領域ＩＡ内に存在している間はマークＭ１の像が投影光学系ＰＬを介して感光体３に投影され続けており、理想的には、マークＭ１が照明領域ＩＡのＸ方向位置ｘ＝ｘ１，ｘ２，ｘ３・・・・ｘｎの何れに位置していてもマークＭ１の像は同一である。ところが、前記のように、レチクルＲと感光体３（実際の露光ではウエハＷ）を走査しながらマークＭ１の像を感光体３上に形成するために、マークＭ１が照明領域ＩＡ内の異なる位置に存在すれば、そのパターン像は投影光学系ＰＬの異なる部分を光が通過することによって形成される。投影光学系ＰＬに収差が存在することにより、マークＭ１のＸ方向位置によって像のディストーションはそれぞれ異なる。図４（ｂ）は、マークＭ１がＸ方向の各位置ｘ＝ｘ１，ｘ２，ｘ３にある瞬間に、感光体３上に形成されるであろうマークＭ１の像を仮想的に示した例である。各像のディストーションがそれぞれ投影光学系ＰＬ内の光路の相違により異なるために、ｘ＝ｘ１とｘ＝ｘ２とでは像の中心位置にΔｘ１２ずれが生じており、ｘ＝ｘ２とｘ３とでは像の中心位置にΔｘ２３のずれが生じていると考えられる。また、Δｘ１２及びΔｘ２３には、一回の走査の間に生じるレチクルステージＲＳＴとウエハステージＷＳＴの同期ずれや走査による装置全体の振動によるレチクルＲとウエハステージＷＳＴの位置関係のずれも含まれると考えられる。実際には、図４（ｂ）に示した各像は感光体３上で個別に検出できるわけではなく、照明領域ＩＡに対してマークＭ１が一回走査されることによって、各ｘ位置で形成された像が加算された形で感光体３上に現れる。その最終的な像は、図４（ｃ）に示したように、図４（ｂ）に示した各像よりも鈍った形で形成されており、特に、所定のレベルでスライスして得られた線幅ｌは個々の画像の信号幅よりも広くなる。なお、感光体３は２次元であるので、形成される像は感光体３上の座標（またはウエハステージ座標）としてＸＹの関数で表されるが、説明を簡単にするために走査方向のＸ座標のみで表した。
【００３６】
以上のようにして感光体３上に形成（感光）されたレチクルＲのマークパターンの像を、アライメント系３０〜３５で検出する。上記走査露光後、ウエハステージＷＳＴをアライメント系の光軸ＡＸ２方向に移動して、さらにウエハステージＷＳＴを移動しながら、アライメント系の光源３０からの光線に対して感光体３を走査する。この走査の間に、感光体３からの反射光をアライメント系の受光部３１により検出し、アンプ３２で増幅された検出信号を処理系４において画像処理した後、コントローラ１２に送る。コントローラ１２では、得られた画像出力に基づいて以下のような方法でレチクルＲのマークの結像位置及び位置ずれ並びに種々の結像特性を演算する。なお、レチクルＲ上のマークは、レチクルＲの走査により、Ｍ１のみならず全てのマークＭ１〜Ｍ８が、図４（ｃ）に示したのと同様な波形として感光体３上に形成され、それらの画像出力が処理系４を介してコントローラ１２に送られる。
【００３７】
レチクルＲのマークの結像位置は、処理系４で画像出力として得られた像の波形の中心位置、例えば、図４（ｃ）に示した波形のＸ０から判断できる。一方、レチクルＲ上のマークＭ１の位置座標及び投影光学系ＰＬの倍率より、マークＭ１が感光体３上で結像されるべき位置（設計値）Ｘ０１を計算により求めることができる。従って、ΔＸ＝Ｘ０−Ｘ０１を算出することによって、レチクルＲ及び感光体３（実際の露光ではウエハＷ）の走査を含めた種々の原因で生じるレチクルＲのマークＭ１のＸ方向の結像位置ずれ（設計値と実露光位置の差）を求めることができる。同様にして、他のマークＭ２〜Ｍ８の結像位置及び位置ずれも求めることができる。
【００３８】
次いで、得られたレチクルＲの各マークの１次元または２次元の結像位置から走査露光における投影光学系ＰＬの動的な結像特性を求める方法を説明する。例えば、結像特性として像のコントラストを求めるとき、図４（ｃ）のように検出された各マークの出力を適当なスライスレベルでスライスしてそれぞれの線幅ｌを求め、それらを基準値と比較すればよい。あるいは、各マークの出力波形の両端のエッジの立ち上がりの角度により求めることもできる。
【００３９】
結像特性として像倍率を求めるには次のような方法を採用することができる。レチクルＲ上の複数のマーク、例えば、マークＭ１とＭ５の感光体３上の結像位置をウエハステージＷＳＴでのＸ座標系、例えば、Ｘ１及びＸ５で求め、そのウエハステージＷＳＴの座標系におけるＸ１とＸ５との間隔とレチクルＲ上でのマークＭ１とＭ５のＸ方向の間隔から倍率を算出することができる。
【００４０】
また、結像特性としてディストーションを求めるには次のような方法を採用することができる。例えば、レチクルＲのパターン領域４０内の比較的内側と比較的外側に２点の組Ａ１，Ａ２及びＢ１，Ｂ２をそれらの間隔Ａ１Ａ２と間隔Ｂ１Ｂ２が等しくなるように選び、それらの感光体３上の結像位置を上記と同様にしてウエハステージＷＳＴの座標系にて求める。次いで、ウエハステージＷＳＴの座標系における２点の組の結像位置間隔Ａ１Ａ２’と間隔Ｂ１Ｂ２’をそれぞれ求めて、前記レチクルＲ上での間隔との差（Ａ１Ａ２’−Ａ１Ａ２）及び（Ｂ１Ｂ２’−Ｂ１Ｂ２）をそれぞれ算出して倍率を考慮して比較することによりディストーションを求めることができる。
【００４１】
また、上記のようなレチクルＲのマークの結像位置の測定から、レチクルＲの走査により生じる、レチクルＲのレチクルステージＲＳＴ上での回転量を求めることができる。この場合、レチクルＲのマークのうち、例えば、マークＭ１とＭ５の感光体３上でのＹ方向の結像位置Ｙ１とＹ５を上記と同様にしてウエハステージＷＳＴの座標系でそれぞれ求めて差ΔＹを求めることによってレチクルＲのパターンがＹ方向にどの程度ずれて結像されるかがわかる。また、このΔＹとＭ１及びＭ５のＸ方向距離等からレチクルＲの回転量θを算出することができる。
【００４２】
さらに、レチクルＲのパターン全体の位置ずれを以下のようにして求めることもできる。例えば、投影光学系ＰＬの光軸上にレチクルＲの中心が位置するようにレチクルＲをレチクルステージＲＳＴ上に配置して、上記のようにして感光体３及びアライメント系３０〜３５により各マークの２次元的な結像位置をウエハステージ座標系で求めた後、感光体３上の基準点（ウエハステージ座標系）と各マークの結像位置との距離をそれぞれ求める。そして、それらの距離と、レチクルＲの中心からのレチクルＲの各マークＭ１〜Ｍ８の距離Ｌ１〜Ｌ８とを倍率を考慮して比較することによって、レチクルＲの走査におけるレチクルＲのパターンのオフセット量がわかる。この場合、一つのマークについてレチクルＲの中心からの距離と、その結像位置と基準点の距離とを比較してもレチクルＲのパターンのオフセット量は求められるが、再現性等の点から８つのマークＭ１〜Ｍ８についてそれぞれ距離の差を求めて平均値よりオフセット量を算出する方が望ましい。
【００４３】
上記のようにして得られた結像特性が所望の範囲でないときは結像特性を補正するための所定の操作を行うことができる。ただし、前提として、ステージが静止している状態で測定された結像特性（静止像の結像特性）は最適に調整されているため、これ以上の調整は困難である。この段階での調整法として、走査露光によって悪化するレチクルＲとウエハＷの同期ずれ、振動等の軽減することが考えられる。一般に走査速度を低下すると、制御系の負荷が減るため、同期精度は向上する。また、振動も低減すると考えられる。このため、前記のようにして求められたマークの結像位置の位置ずれ等において所望の精度が達成されないとき、ステージコントローラ１２に信号を送り、走査速度を低下する方法が考えられる。走査速度を低下すると、製品の生産性（スループット）が低下するため、所望の精度が得られる範囲内で速度を低下するのが最適である。このため、走査速度を変化させて結像特性を測定して最適速度を選ぶこともできる。前記のように走査速度は感光剤の感度で決まるため、速度に応じて照明光の照度を調節するか、照明領域ＩＡの走査方向の幅を変える等の対策も必要である。
【００４４】
次に、上記のようにして得られたレチクルＲの各マークの１次元または２次元の結像位置からウエハアライメント系のベースラインを求める方法を説明する。ベースラインの計測は、前記のレチクルＲのマークの結像位置及び結像特性の測定と同様の動作により実行できる。すなわち、実露光時と同じ走査速度でレチクルステージＲＳＴ及びウエハステージＷＳＴを同期走査することによってレチクルＲ上のＭ１  等の基準マークを感光体３に感光させる。このときの干渉計７，９の信号を同時にコントローラ１２に取り込むことによって、感光時の感光体の位置をウエハステージ座標系で記録できる。次に、感光体３がウエハアライメント系の下方に位置するようにウエハステージＷＳＴをＸ方向に移動して、アライメント系の光源３０から感光体３に光を照射しその反射光を受光器３１で検出することによって感光体３に形成された基準マーク像を検出する。この際、干渉計９の信号をコントローラ１２に取り込むことによって、ウエハアライメント系によって感光体３上の基準マークが検出された位置をウエハステージ座標系で知ることができる。そして、感光体３への露光時とウエハアライメント系での検出時の干渉計の信号の差よりレチクルＲの基準マークの露光像の位置とアライメント系の検出位置の差、すなわち、アライメント系のベースラインを求めることができる。このようにアライメント系のベースラインを規定することによって、レチクルＲのマークを基準として重ね合わせ露光されるウエハＷの位置を正確に決定することができる。しかも、走査の間に生じるレチクルＲとウエハＷの相対的な位置ずれを取り込んだ形でベースラインを求めることができるので走査型露光における重ね合わせ精度を向上できる。
【００４５】
上記実施例では、感光体としてフォトクロミックデバイスを用いてマークパターンを結像させたが、実際の露光に用いるウエハ上に塗布されたフォトレジストの感光度とフォトクロミックデバイスの感光度は異なるため、実際の露光条件に合わせるために感光体に照射される光量を調節する必要がある。しかしながら、実露光時の結像特性を感光体を用いて予め評価するには、実露光時と同様の条件で走査する必要があり、走査速度を実露光時の走査速度と変更することによって光量を調節することはできない。そこで、本発明では、照明光学系に照明光の強度を変更できるフィルター（図示しない）を設置することによって、フォトクロミックデバイスを走査期間中に渡って均一に感光し且つ十分な測定感度となる光量を与えることができる。さらに、種々のレチクルに対応するため、フィルターは濃度の異なるフィルターを複数用意してレボルバー等で切換可能な構成とすることができ、あるいは、液晶素子のように電気的に濃度可変な素子を使用することもできる。この他に、露光光の強度は一定のままで、フォトクロミックデバイスの感度を可変としてもよい。たとえば、フォトクロミックデバイスは温度により感光速度が異なるため、フォトクロミックデバイスの温度を所望の温度に制御することができる。あるいは、露光光強度の調整とフォトクロミックデバイスの温度制御の両者の組み合わせて感光度調整を行ってよい。かかる感光度調整は、従来の一括型露光装置では不要であったが、走査型露光装置において実際の走査露光の条件を再現するために考慮する必要がある。
【００４６】
上記実施例では感光体としてフォトクロミックデバイスを用いたが、光磁気記録素子を用いることもできる。光磁気記録素子は、外部磁界を印加しながらレーザ光等の光を記録膜の記録位置に照射することによって、照射部分の磁化を反転させて画像信号等の信号を記録し、再生時には再生光を記録膜に照射して反射光からの偏光成分を検出することによって記録された信号を検出するデバイスである。一旦記録された画像は、外部磁界を印加しながら光照射することによって消去可能である。このような光磁気記録素子を感光体３として用いて、前記と同様にしてレチクルステージＲＳＴ及びウエハステージＷＳＴを同期走査しながら、光磁気記録素子上にレチクルＲのマークパターンを記録し、アライメント系により光磁気記録素子上に形成されたマークパターン像を検出することができる。この際、走査型露光装置は、光磁気記録素子に外部磁界を印加するコイル等の磁界発生装置及び偏光成分を検出する波長板等を備えた光学式検出系を必要とする。
【００４７】
なお、感光体として、フォトクロミックデバイスまたは光磁気記録素子以外に、実際に露光されるウエハ（感光基板）を使用することもできる。感光基板には、レチクルのパターンが露光されない領域が周辺に存在するため、かかる領域をレチクルのテストマークを評価ために使用することも可能である。
【００４８】
また、感光体を直接ウエハステージ上に設置する代わりに、受光部をウエハステージに設置し、受光部で受光した光を光ファイバ等を通じてウエハステージの外部に設置した感光体を伝送して感光体を感光してもよい。
【００４９】
上記実施例の投影露光装置は、半導体製造用の投影光学系ＰＬを使用していたが、本発明は投影光学系を使用する走査型露光装置以外の走査型露光装置、例えばミラー光学系を使用する走査型露光装置に対しても同様に有効である。
【００５０】
【発明の効果】
本発明の走査型露光装置は、走査露光の動的な条件、すなわちマスクステージ及び基板ステージが移動している状態での結像特性を実際の露光の前に計測及び演算することができる機構を備えているので、走査型露光装置に独特の原因で発生する結像特性の誤差等を予め知ることができ、それにより、結像特性を補正するように露光条件を変更することができる。本発明の走査型露光装置は、走査露光の動的な条件、すなわちマスクステージ及び基板ステージが移動している状態でのウエハアライメント系のベースラインを求めることができるので、走査型露光装置に独特の原因で発生するベースラインの誤差等を予め知ることができ、それにより、高精度な重ね合わせ露光を実現することができる。本発明の走査露光方法は、走査露光の動的な条件の下での結像特性及びウエハアライメント系のベースラインを計測及び演算しているので、走査露光方式に独特の原因で発生する結像特性及びベースラインの誤差等を予め知ることができ、それにより、結像特性及びベースラインを補正するように露光条件や走査速度を変更することができる。従って、本発明の走査型露光装置及び走査露光方法を用いることによって、一層高精度且つ高効率で半導体素子や液晶素子等のマイクロデバイスを製造することができる。
【図面の簡単な説明】
【図１】走査の間の結像特性を予め測定することができる機構を含む本発明の走査型露光装置の構成の概要を示す。
【図２】実施例の走査型露光装置による走査露光方法を説明する図であり、図２（ａ）は照明領域ＩＡに対してレチクルＲが走査される様子を示し、図２（ｂ）は露光領域ＥＡに対してウエハＷがレチクルＲの走査方向と逆方向に走査される様子を示す図である。
【図３】実施例で用いたテストマークＭ１〜Ｍ８を含むレチクルの平面図である。
【図４】実施例において、レチクルの基準マークが照明領域ＩＡに対して走査されるときにマーク像が形成される様子を示す図であり、図４（ａ）は照明領域ＩＡのＸ方向位置に基準マークＭ１が走査される様子を示し、図４（ｂ）は基準マークＭ１が照明領域ＩＡのＸ方向位置ｘ１，ｘ２及びｘ３に位置するときの感光体上に形成されるであろうマークパターン像をそれぞれ示し、図４（ｃ）は照明領域ＩＡに対して基準マークＭ１の一回の走査によって感光体上に形成されるマークＭ１の像を示す。
【図５】結像特性の測定系を備える従来の一括露光型の投影露光装置の構成の概要を示す図であり、図５（ａ）は装置構成を示し、図５（ｂ）はセンサからの出力を示す。
【図６】結像特性の測定系を備える従来の一括露光型の投影露光装置の構成の概要を示す図であり、像の検出手段として感光体を備える。
【符号の説明】
Ｒ  レチクル
Ｗ  ウエハ
ＰＬ  投影光学系
ＩＡ  照明領域
ＥＡ  露光領域
ＲＳＴ  レチクルステージ
ＷＳＴ  ウエハステージ
Ｍ１  レチクルマーク
３  感光体
４  画像処理系
５  ウエハホルダ
７  レーザ干渉計
１０  投光器
１２  ステージコントローラ
３０  アライメント系光源
３１  受光部
２０３  光電センサ
３０１  感光体
【図１】
0003590875.tif 000002
【図２】
0003590875.tif 000003
【図３】
0003590875.tif 000004
【図４】
0003590875.tif 000005
【図５】
0003590875.tif 000006
【図６】
0003590875.tif 000007